(57)【要約】【課題】取付けスペースを小さくし、スクリーンの間の間隔を著しく変化させない。【解決手段】ロールスクリーン装置は、不透光部１１ｂ，２２ｂと透光部１１ａ，２２ａが交互に形成されて互いに重合する第１及び第２スクリーン１１，２２と、第１スクリーンの上端が接続された第１巻き取り体１２と、第２スクリーンの上端が接続された第２巻き取り体２３とを備える。第２スクリーンを第１スクリーンに対して上下方向へ相対移動させてそれらの透光部同士を重合させた採光可能な状態と、不透光部を透光部に重合させた採光不可能な状態とを切換え可能に構成される。第２巻き取り体が軸方向に切欠き２３ａを有する横断面がＣ型の管状体であって、第１巻き取り体は第２巻き取り体の内部に第２巻き取り体と同軸に設けられ、第１スクリーンは切欠きを介して垂下されて第２スクリーンに重合するように構成される。【選択図】  図１
2008045346.tif 000002
【特許請求の範囲】
【請求項１】
第１スクリーン(11)と、前記第１スクリーン(11)の上端が接続され水平軸を回転中心として回転することにより前記第１スクリーン(11)を巻き取り可能に構成された第１巻き取り体(12)と、前記第１スクリーン(11)に重合して設けられた第２スクリーン(22)と、前記第２スクリーン(22)の上端が接続され水平軸を回転中心として回転することにより前記第２スクリーン(22)を巻き取り可能に構成された第２巻き取り体(23)とを備えたロールスクリーン装置において、
前記第２巻き取り体(23)が軸方向に切欠き(23a)を有する横断面がＣ型の管状体であって、
前記第１巻き取り体(12)は前記第２巻き取り体(23)の内部に前記第２巻き取り体(23)と同軸に設けられ、
前記第１巻き取り体(12)に上端が取付けられた前記第１スクリーン(11)は前記切欠き(23a)を介して前記第２巻き取り体(23)の内部から外部に引き出されて前記第２巻き取り体(23)に上端が取付けられた前記第２スクリーン(22)に重合するように構成された
ことを特徴とするロールスクリーン装置。
【請求項２】
第１スクリーン(11)は不透光部(11b)と透光部(11a)が上下に交互に規則的に連続して形成され、第２スクリーン(22)は前記第１スクリーン(11)の不透光部(11b)と同一の不透光部(22b)と前記第１スクリーン(11)の透光部(11a)と同一の透光部(22a)が上下に交互に規則的に連続して形成され、第２巻き取り体(23)が第１巻き取り体(12)に対して回転することにより前記第２スクリーン(22)を前記第１スクリーン(11)に対して上下方向へ相対移動させて前記第２スクリーン(22)の透光部(22a)を前記第１スクリーン(11)の透光部(11a)に重合させた採光可能な状態と前記第２スクリーン(22)の不透光部(22b)を前記第１スクリーン(11)の透光部(11a)に重合させた採光不可能な状態とを切換え可能に構成された請求項１記載のロールスクリーン装置。
【請求項３】
第１巻き取り体(12)に対する第２巻き取り体(22)の回転を所定の範囲に制限する制限部材(12b,24a)が設けられ、前記第２巻き取り体(23)が前記所定の範囲で回転することにより第１及び第２スクリーン(11,22)が採光可能な状態と採光不可能な状態の双方を取り得るように構成された請求項２記載のロールスクリーン装置。
【請求項４】
第１スクリーン(11)の不透光部(11b)及び第２スクリーン(22)の不透光部(22b)の各上下方向の幅が前記第１スクリーン(11)の透光部(11a)及び前記第２スクリーン(22)の透光部(22a)の各上下方向の幅とそれぞれ同一である請求項２又は３記載のロールスクリーン装置。
【請求項５】
第１スクリーン(11)の下端と第２スクリーン(22)の下端が連続するように前記第１スクリーン(11)と前記第２スクリーン(22)が一体的に形成され、前記第１スクリーン(11)の下端と前記第２スクリーン(22)の下端の間にウエイト用丸棒(32)が設けられた請求項１ないし４いずれか１項に記載のロールスクリーン装置。
【発明の詳細な説明】
【技術分野】
【０００１】
本発明は、不透光部と透光部が上下に交互に規則的に連続して形成され互いに重合された第１及び第２スクリーンを備えたロールスクリーン装置に関する。更に詳しくは、第２スクリーンの透光部を第１スクリーンの透光部に重合させた採光可能な状態と第２スクリーンの不透光部を第１スクリーンの透光部に重合させた採光不可能な状態とを切換え可能に構成されたロールスクリーン装置に関するものである。
【背景技術】
【０００２】
従来、ロールスクリーン装置として、不透光部と透光部が上下に交互に規則的に連続して形成された第１スクリーンと、その第１スクリーンの上端が接続され水平軸を回転中心として回転することにより第１スクリーンを巻き取り可能に構成された第１巻き取り体と、第１スクリーンに重合して設けられ第１スクリーンと同一の透光部と透光部が上下に交互に規則的に連続して形成された第２スクリーンと、第２スクリーンの上端が接続され水平軸を回転中心として回転することにより第２スクリーンを巻き取り可能に構成された第２巻き取り体とを備えたものが知られている（例えば、特許文献１参照。）。このようなロールスクリーンでは、第１巻き取り体と第２巻き取り体を互いに平行に設け、第２巻き取り体を回転させて第２スクリーンの透光部を第１スクリーンの透光部に重合させると採光可能な状態となり、第２スクリーンの不透光部を第１スクリーンの透光部に重合させると採光不可能な状態となり、この採光可能な状態と採光不可能状態を第２巻き取り体の回転により切換え可能であるとしている。
【０００３】
しかし、上記のような従来のロールスクリーン装置では、第１巻き取り体と第２巻き取り体を互いに平行に設けるため、ブラインドの取付けスペースが大きくなるという問題があった。また、第１巻き取り体と第２巻き取り体をそれぞれ別に操作して第１及び第２スクリーンを所望の状態にするため、操作が面倒であるという問題もあった。
これらの点を解消するために、前後に設けられる第１及び第２スクリーンのそれぞれの昇降を１本の巻取パイプで行うとともに、前後のスクリーンの上下方向への相対移動を、前後のスクリーン間に設けられる揺動棒を巻取パイプ回りに揺動させて一方のスクリーンの巻取パイプへの巻掛け長さを変えることによって行うことが提案されている（例えば、特許文献２参照。）。このようなロールスクリーン装置では、前後に設けられる第１及び第２のスクリーンのそれぞれの昇降を１本の巻取パイプで行うので、第１巻き取り体と第２巻き取り体を互いに平行に設ける上記装置に比較して、そのロールスクリーン装置の取付けスペースを小さくすることができる。また、前後に設けられる第１及び第２スクリーンの間に設けられる揺動棒と、これを巻取パイプ回りに揺動可能な一対の揺動部材とを有しており、揺動部材を操作して前後のスクリーンのうち一方のスクリーンの巻取パイプへの巻掛け長さを変えることにより、前後のスクリーンの上下方向への相対移動を行わせることが可能となり、その操作性を向上させることができるとしている。
【特許文献１】実開昭５４−３４５２７号公報（明細書［実用新案登録請求の範囲］、第１図、第２図）
【特許文献２】特開平７−１８９５７３号公報（明細書［０００４］、［０００５］、図１）
【発明の開示】
【発明が解決しようとする課題】
【０００４】
しかし、上記従来のロールスクリーン装置では、前後に設けられる第１及び第２スクリーンの間に揺動棒を設け、その揺動棒を巻取パイプ回りに揺動させることを要件とするため、その揺動棒が揺動可能な範囲を確保する必要があり、ロールスクリーン装置の取付けスペースを期待以上に小さくすることができないという未だ解決すべき課題が残存していた。また、揺動棒を巻取パイプ回りに揺動させると、一方のスクリーンの巻取パイプへの巻掛け長さを変えることができるけれども、同時に前後のスクリーンの間の間隔が著しく増減する不具合が考えられる。例えば、採光不可能な状態にあっては、第２スクリーンの不透光部を第１スクリーンの透光部に重合させ、第１スクリーンの透光部を通過した明かりが、それに対向する第２スクリーンの不透光部に遮られることにより実現するけれども、第２スクリーンと第１スクリーンの間隔が大きいと、第１スクリーンの透光部を通過した明かりが、それに対向する不透光部に隣接する第２スクリーンの透光部を通過する事態を生じさせ、第１スクリーンの透光部を通過した明かりの全てを遮ることが困難になる不具合がある。
本発明の目的は、取付けスペースを小さくするとともに、前後に設けられる第１及び第２スクリーンの間の間隔を著しく変化させることなくそれらの相対的移動を可能にし得るロールスクリーンを提供することにある。
【課題を解決するための手段】
【０００５】
請求項１に係る発明は、図１、図２及び図８に示すように、第１スクリーン１１と、第１スクリーン１１の上端が接続され水平軸を回転中心として回転することにより第１スクリーン１１を巻き取り可能に構成された第１巻き取り体１２と、第１スクリーン１１に重合して設けられた第２スクリーン２２と、第２スクリーン２２の上端が接続され水平軸を回転中心として回転することにより第２スクリーン２２を巻き取り可能に構成された第２巻き取り体２３とを備えたロールスクリーン装置の改良である。
その特徴ある構成は、第２巻き取り体２３が軸方向に切欠き２３ａを有する横断面がＣ型の管状体であって、第１巻き取り体１２は第２巻き取り体２３の内部に第２巻き取り体２３と同軸に設けられ、第１巻き取り体１２に上端が取付けられた第１スクリーン１１は切欠き２３ａを介して第２巻き取り体２３の内部から外部に引き出されて第２巻き取り体２３に上端が取付けられた第２スクリーン２２に重合するように構成されたところにある。
【０００６】
この請求項１に記載されたロールスクリーン装置では、第２巻き取り体２３の内部に第１巻き取り体１２を第２巻き取り体２３と同軸に設けるので、第１巻き取り体１２と第２巻き取り体２３を互いに平行に設ける場合に比較して、ロールスクリーン装置１０の取付けスペースを小さくすることができる。
また、第２巻き取り体２３を第１巻き取り体１２に対して回転させることにより、その第２スクリーン２２は第１スクリーン１１に対して上下方向へ相対移動させることができるので、第２スクリーン２２を第１スクリーン１１に対して相対移動させるために従来必要とされた揺動棒成るものが不要となり、その揺動棒が揺動可能な範囲を確保することも不要となって、ロールスクリーン装置１０の取付けスペースを十分に小さくすることができる。
更に、第１巻き取り体１２に上端が取付けられた第１スクリーン１１は、第２巻き取り体２３における切欠き２３ａを介して第２巻き取り体２３の内部から外部に引き出されて第２スクリーン２２に重合するので、前後に設けられる第１及び第２スクリーン１１，２２の間の間隔を著しく変化させることなくそれらの相対的移動を可能にすることができる。
【０００７】
請求項２に係る発明は、請求項１に係る発明であって、第１スクリーン１１は不透光部１１ｂと透光部１１ａが上下に交互に規則的に連続して形成され、第２スクリーン２２は第１スクリーン１１の不透光部１１ｂと同一の不透光部２２ｂと第１スクリーン１１の透光部１１ａと同一の透光部２２ａが上下に交互に規則的に連続して形成され、第２巻き取り体２３が第１巻き取り体１２に対して回転することにより第２スクリーン２２を第１スクリーン１１に対して上下方向へ相対移動させて第２スクリーン２２の透光部２２ａを第１スクリーン１１の透光部１１ａに重合させた採光可能な状態と第２スクリーン２２の不透光部２２ｂを第１スクリーン１１の透光部１１ａに重合させた採光不可能な状態とを切換え可能に構成されたことを特徴とする。
この請求項２に記載されたロールスクリーン装置では、採光可能な状態を取り得る第１及び第２スクリーン１１，２２と、採光不可能な状態を取り得る第１及び第２スクリーン１１，２２の双方の状態を実現することができる。
【０００８】
請求項３に係る発明は、請求項２に係る発明であって、第１巻き取り体１２に対する第２巻き取り体２２の回転を所定の範囲に制限する制限部材１２ｂ，２４ａが設けられ、第２巻き取り体２３がその所定の範囲で回転することにより第１及び第２スクリーン１１，２２が採光可能な状態と採光不可能な状態の双方を取り得るように構成されたことを特徴とする。
この請求項３に記載されたロールスクリーン装置では、制限部材１２ｂ，２４ａにより制限された範囲の両端にまで第２巻き取り体２２を回転させることにより、採光可能な状態を取り得る第１及び第２スクリーン１１，２２と、採光不可能な状態を取り得る第１及び第２スクリーン１１，２２の双方の状態を比較的容易に実現することができる。
【０００９】
請求項４に係る発明は、請求項２又は３に係る発明であって、図２に示すように、第１スクリーン１１の不透光部１１ｂ及び第２スクリーン２２の不透光部２２ｂの各上下方向の幅が第１スクリーン１１の透光部１１ａ及び第２スクリーン２２の透光部２２ａの各上下方向の幅とそれぞれ同一であることを特徴とする。
この請求項４に記載されたロールスクリーン装置では、第２スクリーン２２の透光部２２ａを第１スクリーン１１の透光部１１ａに重合させた場合、比較的多く採光可能な状態を得ることができ、採光不可能な状態にあっては第２スクリーン２２の不透光部２２ｂにより第１スクリーン１１の透光部１１ａの全体を確実に覆うことができる。
【００１０】
請求項５に係る発明は、請求項１ないし４いずれか１項に係る発明であって、図１５に示すように、第１スクリーン１１の下端と第２スクリーン２２の下端が連続するように第１スクリーン１１と第２スクリーン２２が一体的に形成され、第１スクリーン１１の下端と第２スクリーン２２の下端の間にウエイト用丸棒３２が設けられたことを特徴とする。
この請求項５に記載されたロールスクリーン装置では、単一の生地を第１及び第２スクリーン１１，２２として用いることができ、その製作を容易にすることができるとともに、その間にウエイト用丸棒３２を設けることにより、第１及び第２スクリーン１１，２２を所定の間隔をあけて確実に垂下させることができる。
【発明の効果】
【００１１】
本発明のロールスクリーン装置では、第２巻き取り体が軸方向に切欠きを有する横断面がＣ型の管状体であって、第１巻き取り体が第２巻き取り体の内部に同軸に設けられ、第１巻き取り体に上端が取付けられた第１スクリーンが切欠きを介して第２巻き取り体の内部から外部に引き出されて第２巻き取り体に上端が取付けられた第２スクリーンに重合するように構成したので、第１巻き取り体と第２巻き取り体を互いに平行に設ける場合に比較して、ロールスクリーン装置の取付けスペースを小さくすることができる。また、第２巻き取り体を第１巻き取り体に対して回転させることにより第２スクリーンは第１スクリーンに対して上下方向へ相対移動させることができ、第１スクリーンは第２巻き取り体における切欠きを介して第２巻き取り体の内部から外部に引き出されて第２スクリーンに重合するので、前後に設けられる第１及び第２スクリーンの間の間隔を著しく変化させることなくそれらの相対的移動を可能にすることができる。
【００１２】
この場合、第１巻き取り体に対する第２巻き取り体の回転を所定の範囲に制限する制限部材を設け、第２巻き取り体が所定の範囲で回転することにより第１及び第２スクリーンが採光可能な状態と採光不可能な状態の双方を取り得るように構成すれば、採光可能な状態と、採光不可能な状態の双方の状態を比較的容易に実現することができる。そして、第１スクリーンの下端と第２スクリーンの下端を連続させ、その間にウエイト用丸棒が設ければ、単一の生地を第１及び第２スクリーンとして用いることができ、その製作を容易にすることができるとともに、その間にウエイト用丸棒を設けることにより、第１及び第２スクリーンを所定の間隔をあけて確実に垂下させることができる。
【発明を実施するための最良の形態】
【００１３】
次に本発明を実施するための最良の形態を図面に基づいて説明する。
図８に示すように、ロールスクリーン装置１０は、所定幅の透光部１１ａと不透光部１１ｂとが上下方向に交互に連続して形成された第１スクリーン１１を備える。透光部１１ａは、光を透過可能なことを意味し、透明及び半透明の双方を含むものであり、生地の組成や編成を粗にすることにより通風も可能とされる。一方、不透光部１１ｂは、光を透過不能なことを意味し、生地にアルミ等から成る金属箔を貼り付けることや、繊維の密度を上げることにより作られる。なお、透光部１１ａと不透光部１１ｂは上下に交互に規則的に連続して形成されるものであれば、図８に示す横に伸びる平行模様を表すものに限らず、図１６に示すように、斜平行模様を表すようなものであっても良く、図１７に示すように、市松状又は千鳥状に透光部１１ａと不透光部１１ｂを配列しても良い。
【００１４】
図１に示すように、第１スクリーン１１の上端には第１巻き取り体１２が接続される。この第１巻き取り体１２は断面円形のパイプであって、その周囲の一部に軸方向に伸びる凹溝１２ａが形成される。凹溝１２ａは狭められた開口部に比較して幅の広い奥行きを有する断面が円形に形成され、この凹溝１２ａに挿入可能な係止棒１３が第１スクリーン１１の上端縁に逢着される。そして、第１スクリーン１１の上端縁とともにその係止棒１３を第１巻き取り体１２の長手方向の端縁から凹溝１２ａに挿入させる。これにより第１巻き取り体１２の周囲の一部に第１スクリーン１１の上端が軸方向に伸びて取付けられる。一方、図２及び図８に示すように、第１スクリーン１１の下端には第１ウエイトバー１４がその全幅に亘って取付けられ、この第１ウエイトバー１４はその自重により第１スクリーン１１を垂下させるように構成される。
【００１５】
図７〜図９に示すように、第１巻き取り体１２の一端には第１コードプーリ１６が設けられ、この第１巻き取り体１２の一端は第１コードプーリ１６を介して取付ブラケット１７の先端に一定の抵抗をもって枢支される。第１巻き取り体１２の他端には別の取付ブラケット１７の先端に一定の抵抗をもって枢支される。この第１巻き取り体１２の両端を枢支した一対の取付ブラケット１７，１７のそれぞれの基端はヘッドレール１８の両端に取付けられる。ヘッドレール１８は第１巻き取り体１２の長さと略同一の長さを有し、木ねじ１９等の取付手段により天井１０ａ又は壁面に水平に取付けられる。第１コードプーリ１６には巻き取り用チェーン２１が巻回され、そのチェーン２１の手前側又は後ろ側におけるいずれか一方を、一対のブラケット１７，１７と第１巻き取り体１２の両端との間における一定の抵抗に抗して引き下げることにより第１巻き取り体１２はその中心軸である水平軸を回転中心として回転し、その第１巻き取り体１２が水平軸を回転中心として回転することにより第１スクリーン１１はその第１巻き取り体１２に巻き取られて上昇し、又は巻き解かれて下降するように構成される。
【００１６】
図１に示すように、第１スクリーン１１には第２スクリーン２２が重合され、この第２スクリーン２２の上端には第２巻き取り体２３が接続される。この第２スクリーン２２は第１スクリーン１１と同一構造であり、図２に示すようにこの第１及び第２スクリーン１１，２２の不透光部１１ｂ，２２ｂの上下方向のそれぞれの幅Ｂは、第１及び第２スクリーン１１，２２の透光部１１ａ，２２ａの上下方向の幅Ｃと同一に形成される。また、これらの不透光部１１ｂ，２２ｂと透光部１１ａ，２２ａのそれぞれの上下方向の幅Ｂ，Ｃは、第２スクリーン２２の上端が接続された第２巻き取り体２３の第１巻き取り体１２に対する回転により第２スクリーン２２が第１スクリーン１１に対して上下方向へ相対移動可能な範囲内に形成される。
【００１７】
図１に示すように、第２スクリーン２２の上端が接続された第２巻き取り体２３は、第１巻き取り体１２が挿通可能な内径を有し、かつ周囲の一部に軸方向に伸びる切欠き２３ａを有する管状体であって、その切欠き２３ａにより横断面がＣ型を形成するようなものである。そして、第１巻き取り体１２はこの第２巻き取り体２３の内部に第２巻き取り体２３と同軸に設けられる。即ち、図７及び図８に示すように、この第２巻き取り体２３には第１巻き取り体１２が挿通され、この第２巻き取り体２３の一端は第１巻き取り体１２の一端にその第１巻き取り体１２と同軸に枢支され、第２巻き取り体２３の他端は第１巻き取り他の他端にその第１巻き取り体１２と同軸に枢支される。そして、図７〜図９に示すように、第２巻き取り体２３の一端には第２コードプーリ２４が第１コードプーリ１６と並んで設けられる。第２コードプーリ２４には光量調整用チェーン２６が巻回され、巻回されたチェーン２６の手前側又は後ろ側におけるいずれか一方を引き下げることにより第２巻き取り体２３はその中心軸である水平軸を回転中心として回転するように構成される。
【００１８】
図１に戻って、このように両端が枢支された第２巻き取り体２３は第１巻き取り体１２に対するの回転が許容され、第１巻き取り体１２に対する第２巻き取り体２３の回転を所定の範囲に制限する制限部材１２ｂ，２４ａが設けられる。この実施の形態における制限部材は、第１巻き取り体１２に設けられた突起１２ｂと、第２コードプーリ２４に形成された係止片２４ａにより構成される。その突起１２ｂは、第１巻き取り体１２に形成された凹溝１２ａの入り口に、第２巻き取り体２３の切欠き２３ａの中に突出するように形成される。一方、係止片２４ａは、第２コードプーリ２４の内周に、第２巻き取り体２３の切欠き２３ａの両側に係止するよう一対形成され、この係止片２４ａはその切欠き２３ａの両側に係止することにより、第２巻き取り体２３に対して第２コードプーリ２４が独立して回転することを防止するように形成される。そして、制限部材である突起１２ｂは第２巻き取り体２３の切欠き２３ａの内部に位置した状態で第１巻き取り体１２に対する第２巻き取り体２３の回転が可能になり、その突起１２ｂが、図１に示すように第２巻き取り体２３の切欠き２３ａの一方の端縁に係止する制限部材である係止片２４ａに当接する位置から、図３に示すようにその切欠き２３ａの他方の端縁に係止する制限部材である係止片２４ａに当接する範囲で第２巻き取り体２３が回転し、それらを越えて第１巻き取り体１２に対する第２巻き取り体２３の回転が禁止されるように構成される。
【００１９】
図１に示すように、第２スクリーン２２の上端はこの第２巻き取り体２３の周囲の一部に軸方向に伸びて接着され、その第２巻き取り体２３が水平軸を回転中心として回転することにより第２スクリーン２２はその第２巻き取り体２３に巻き取られるように構成される。図２及び図１０に示すように、第２スクリーン２２の下端には第２ウエイトバー２７がその全幅に亘って取付けられ、この第２ウエイトバー２７はその自重により第２スクリーン２２を垂下させるように構成される。図１に戻って、第１巻き取り体１２に上端が取付けられた第１スクリーン１１は第２巻き取り体２３の切欠き２３ａを介して第２巻き取り体２３の内部から外部に引き出される。その切欠き２３ａを介して第２巻き取り体２３の内部から外部に引き出された第１スクリーン１１は、その第２巻き取り体２３に半回転以上巻回された後に、その第２巻き取り体２３に上端が取付けられた第２スクリーン２２に重合するように構成される。そして、第２巻き取り体２３が第１巻き取り体１２に対して回転することにより第２スクリーン２２を第１スクリーン１１に対して上下方向へ相対移動させることが可能になり、図１及び図２に示すように第１スクリーン１１の透光部１１ａを第２スクリーン２２の透光部１１ａに重合させた採光可能な状態と、図３及び図４に示すように、第１スクリーン１１の不透光部１１ｂを第２スクリーン２２の透光部１１ａに重合させた採光不可能な状態とを切換え可能に構成される。更に、図５及び図６に示すように、第１スクリーン１１の不透光部１１ｂを第２スクリーン２２の透光部１１ａに半分重合させて採光不可能な状態と採光可能な状態の中間状態を取ることも可能に構成される。
【００２０】
この実施の形態では、第１巻き取り体１２がその回転中心を中心とする９０度の範囲で回転するように構成され、この９０度の範囲内の回転により、第１及び第１スクリーン１１が図１及び図２に示すように採光可能な状態と、図３及び図４に示すように採光不可能な状態の双方を取り得るように構成される。一方、第２巻き取り体２３を第１巻き取り体１２とともに回転させると、第２スクリーン２２は第２巻き取り体２３の切欠き２３ａを介して第２巻き取り体２３の内部から外部に引き出された第１スクリーン１１とともにその第２巻き取り体２３に巻き取られ、これにより第１及び第２スクリーン１１，２２は重合した状態で上昇し、又は巻き解かれて下降するように構成される。なお、図１０及び図１１に示すように、第１ウエイトバー１４と第２ウエイトバー２７は単一のカバー２８の内部に収容され、第２スクリーン２２の第１スクリーン１１に対する上下方向への相対移動の際に生じる第１ウエイトバー１４と第２ウエイトバー２７の相対的な上下動をこの内部で行わせるように構成される。
【００２１】
このように構成されたロールスクリーン装置１０では、第１及び第２スクリーン１１，２２を下降させる場合は、それらは第２巻き取り体２３に巻き取られているので、まず、第１コードプーリ１６に巻回された巻き取り用チェーン２１を引き下げる。この実施の形態では第１及び第２スクリーン１１，２２が第２巻き取り体２３の手前側から垂下されているの、巻き取り用チェーン２１の手前側をひき下げる。すると第１コードプーリ１６が取付けられた第１巻き取り体１２とともに第２巻き取り体２３が回転し、第２巻き取り体２３に重合した状態で巻回された第１及び第２スクリーン１１，２２を巻き解いて下降させることができる。
【００２２】
次に、第２スクリーン２２を第１スクリーン１１に対して上下方向へ相対移動させて、採光量を調整する。この調整は、第２コードプーリ２４に巻回された光量調整用チェーン２６の手前側又は後ろ側におけるいずれか一方を引き下げることにより行われ、光量調整用チェーン２６の手前側又は後ろ側におけるいずれか一方が引き下げられると、第２巻き取り体２３が第１巻き取り体１２に対して回転する。この第２巻き取り体２３の第１巻き取り体１２に対する回転は、制限部材１２ｂ，２４ａにより所定の範囲内に制限されるけれども、図３に示すように、制限部材である突起１２ｂが第２巻き取り体２３の切欠きの一端側に係止する制限部材である係止片２４ａに当接するように第２巻き取り体２３を第１巻き取り体１２に対して回転させると、図４に示すように、その状態で第２スクリーン２２の不透光部１１ｂは第１スクリーン１１の透光部１１ａに重なり合い、その透光部１１ａからの採光及び通風が不可能な状態にすることができる。
【００２３】
採光不可能な状態から採光及び通風が可能な状態にする場合は、第２コードプーリ２４に巻回された光量調整用チェーン２６の反対側を引き下げる。すると、第２巻き取り体２３は第１巻き取り体１２に対して逆方向に回転し、図１に示すように制限部材である突起１２ｂは第２巻き取り体２３の切欠きの他端側に係止する制限部材である係止片２４ａに当接する。すると、図２に示すように、前後に配置された第１及び第２スクリーン２２のそれぞれの透光部１１ａ同士及び不透光部１１ｂ同士が互いに重なり合う位置に配置され、重なり合った当後部からの採光及び通風が可能な状態にすることができる。
【００２４】
次に、第１及び第２スクリーン１１，２２を再び上昇させる場合は、第１コードプーリ１６に巻回された巻き取り用チェーン２１の、この実施の形態では後ろ側をひき下げる。すると第１コードプーリ１６が取付けられた第１巻き取り体１２とともに第２巻き取り体２３が逆方向に回転し、第２巻き取り体２３に重合した状態で巻回された第１及び第２スクリーン１１，２２を再び巻き取って第１及び第２スクリーン１１，２２を上昇させる。
【００２５】
従って、本発明のロールスクリーン装置１０では、第２巻き取り体２３の内部に第１巻き取り体１２を第２巻き取り体２３と同軸に設けるので、第１巻き取り体１２と第２巻き取り体２３を互いに平行に設ける場合に比較して、ロールスクリーン装置１０の取付けスペースを小さくすることができる。また、第２巻き取り体２３を第１巻き取り体１２に対して回転させることにより、その第２スクリーン２２は第１スクリーン１１に対して上下方向へ相対移動させることができるので、第２スクリーン２２を第１スクリーン１１に対して相対移動させるために従来必要とされた揺動棒成るものが不要となり、その揺動棒が揺動可能な範囲を確保することも不要となる。このため、ロールスクリーン装置１０の取付けスペースを十分に小さくすることができる。
【００２６】
更に、第１巻き取り体１２に上端が取付けられた第１スクリーン１１は、第２巻き取り体２３における切欠き２３ａを介して第２巻き取り体２３の内部から外部に引き出されて第２スクリーン２２に重合するので、前後に設けられる第１及び第２スクリーン１１，２２の間の間隔を著しく変化させることなくそれらの相対的移動を可能にすることができる。
【００２７】
なお、上述した実施の形態では、第１巻き取り体１２の一端に第１コードプーリ１６を設けてこの第１コードプーリ１６に巻回されたチェーン２１の手前側又は後ろ側におけるいずれか一方を引き下げることにより第１巻き取り体１２が回転する場合を説明したが、第１及び第２スクリーン１１，２２を引き下げることにより回転と停止を交互に行うクラッチを第１コードプーリ１６に代えて第１巻き取り体１２に設けても良い。また、図示しないが、電動により第１巻き取り体１２を回転可能な電動モータモータを第１コードプーリ１６に代えて第１巻き取り体１２に設けても良い。このような場合には、図１２及び図１３に示すように、第１巻き取り体１２を回転させるために必要とされた第１コードプーリ１６及びこの第１コードプーリ１６に巻回されたチェーン２１の双方を不要にすることができる。
【００２８】
また、上述した実施の形態では、第１スクリーン１１の下端に第１ウエイトバー１４を取付け、第２スクリーン２２の下端に第２ウエイトバー２７を別々に設ける場合を説明したが、図１４に示すように、第１スクリーン１１の下端と第２スクリーン２２の下端を連結するような単一のウエイトバー３１をそれらの下端に取付けても良い。この場合、第１及び第２スクリーン１１，２２の相対的な移動が可能となるように、単一のウエイトバー３１の第１スクリーン１１の下端と第２スクリーン２２の下端の間の間隔を決定する幅Dは、第１及び第２スクリーン１１，２２の相対的な移動量を超えるようにすることが好ましい。
【００２９】
また、上述した実施の形態では、第１スクリーン１１の下端に第１ウエイトバー１４を取付け、第２スクリーン２２の下端に第２ウエイトバー２７を別々に設ける場合を説明したが、図１５に示すように、第１スクリーン１１の下端と第２スクリーン２２の下端が連続するように第１スクリーン１１と第２スクリーン２２を一体的に形成し、第１スクリーン１１の下端と第２スクリーン２２の下端の間にウエイト用丸棒３２を設ても良い。このロールスクリーン装置では、単一の生地を第１及び第２スクリーン１１，２２として用いることができ、その製作を容易にすることができるとともに、その間にウエイト用丸棒を設けることにより、第１及び第２スクリーン１１，２２を所定の間隔をあけて確実に垂下させることができる。
【００３０】
更に、上述した実施の形態では、第１巻き取り体１２をブラケット１７を介してヘッドレール１８に取付け、その第１巻き取り体１２の両端に第２巻き取り体２３の両端を枢支させた場合を説明した。しかし、これは一例であって、図示しないが、第２巻き取り体２３をブラケット１７を介してヘッドレール１８に取付け、その第２巻き取り体２３に第１巻き取り体１２を枢支させても良く、第１巻き取り体１２及び第２巻き取り体２３の双方を直接的にブラケット１７を介してヘッドレール１８に取付けても良い。
【図面の簡単な説明】
【００３１】
【図１】本発明実施形態のロールスクリーン装置を示す図８のＡ−Ａ線断面図である。
【図２】その第２スクリーンの透光部を第１スクリーンの透光部に重合させた採光可能な状態を示す図である。
【図３】その第１巻き取り体が第２巻き取り体に対して回転した状態を示す図１に対応する断面図である。
【図４】その第２スクリーンの不透光部を第１スクリーンの透光部に重合させた採光不可能な状態を示す図である。
【図５】その第１巻き取り体が第２巻き取り体に対して許容範囲の半分ほど回転した状態を示す図１に対応する断面図である。
【図６】その第２スクリーンの不透光部が第１スクリーンの透光部に半分ほど重合させた状態を示す図である。
【図７】その第１巻き取り体と第２巻き取り体の取付状態を示す断面図である。
【図８】そのロールスクリーン装置の正面図である。
【図９】そのロールスクリーンの右側面図である。
【図１０】そのロールスクリーンの左側面図である。
【図１１】その第２スクリーンの不透光部を第１スクリーンの透光部に重合させた場合の図１０に対応する左側面図である。
【図１２】その第１コードプーリに代えてクラッチ等を設けた場合における第１巻き取り体と第２巻き取り体の取付状態を示す図７に対応する断面図である。
【図１３】その第１コードプーリに代えてクラッチ等を設けた場合における図９に対応する右側面図である。
【図１４】その第１スクリーンの下端と第２スクリーンの下端を連結するような単一のウエイトバーをそれらの下端に取付けた場合を示す図１０に対応する左側面図である。
【図１５】その第１スクリーンの下端と第２スクリーンの下端を連続させてそれらの間にウエイト用丸棒を設けた場合を示す図１０に対応する左側面図である。
【図１６】透光部と不透光部が斜平行模様を描くように配列されたロールスクリーン装置の正面図である。
【図１７】透光部と不透光部が市松状又は千鳥状を描くように配列されたロールスクリーン装置の正面図である。
【符号の説明】
【００３２】
１０  ロールスクリーン装置
１１  第１スクリーン
１１ａ  透光部
１１ｂ  不透光部
１２  第１巻き取り体
１２ｂ  突起（制限部材）
２２  第２スクリーン
２２ａ  透光部
２２ｂ  不透光部
２３  第２巻き取り体
２３ａ  切欠き
２４ａ  係止片（制限部材）
３２  ウエイト用丸棒
【図１】
2008045346.tif 000003
【図２】
2008045346.tif 000004
【図３】
2008045346.tif 000005
【図４】
2008045346.tif 000006
【図５】
2008045346.tif 000007
【図６】
2008045346.tif 000008
【図７】
2008045346.tif 000009
【図８】
2008045346.tif 000010
【図９】
2008045346.tif 000011
【図１０】
2008045346.tif 000012
【図１１】
2008045346.tif 000013
【図１２】
2008045346.tif 000014
【図１３】
2008045346.tif 000015
【図１４】
2008045346.tif 000016
【図１５】
2008045346.tif 000017
【図１６】
2008045346.tif 000018
【図１７】
2008045346.tif 000019